Podtech/llm-jp-corpus-v4-ja_patent huggingface dataset:
(57)【要約】      （修正有）【課題】電気発熱器の発熱エネルギーを無機ゲルマニウム粉末と、トルマリン粉末とモナザイト粉末入りの合成ゴムを板状に形成し、この合成ゴム板によってマイナスイオンの発生を最大限に引き出すものである。【解決手段】マイナスイオン発生シート１は、主体となる合成ゴム２の内部に、ゲルマニウム粉末３と、トルマリン粉末４及びモナザイト粉末５とを混合してシート状に形成したことを特徴としている。また、該イオン発生シートの板状の厚さ寸法を２ｍｍ及至５ｍｍの範囲内にしたことを特徴としている。【選択図】図２
0003141466.tif 000002
【実用新案登録請求の範囲】
【請求項１】
イオン発生シート本体（１）は、主体となる各種の合成ゴム（２）の内部にゲルマニウム粉末（３）とトルマリン粉末（４）及びモナザイト粉末（５）とを混合圧延してシート状に形成した事を特徴とするマイナスイオン発生シート。
【請求項２】
請求項１におけるイオン発生シート本体（１）の厚さを２ｍｍ及至５ｍｍの範囲内に形成した事を特徴とする請求項１のマイナスイオン発生シート。
【考案の詳細な説明】
【技術分野】
【０００１】  本考案は、合成ゴムに対して、無機ゲルマニウム粉末、トルマリン粉末及びモナザイト粉末を混合してシート状に形成し、これに電気発熱エネルギーを利用してマイナスイオンを発生させ温浴用に使用することを目的としたマイナスイオン発生シートに関するものである。
【背景技術】
【０００２】  従来この種におけるマイナスイオンを発生させる為には、電気エネルギーの用具又はゲルマニウム原石及び各種の鉱石を使用して、マイナスイオンを発生させ、これを利用している現状である。
また、ラジウム鉱石等を利用してマイナスイオンを発生させて利用しているもの、あるいは、鉱石を温浴に直接利用しているもの等が多々知られている現状である。
更に、マイナスイオンを発生させる技術には、各種の電気熱発生器が利用されているものである。
【考案の開示】
【考案が解決しようとする課題】
【０００３】  本考案は、上記従来で述べている各種の問題点を解決するものである。
即ち、従来の技術で述べた電気熱発生器、各種の原石及びセラミック等を使用するマイナスイオン発生器は、各々加工に使用する手間と、大変に重量があり、且つ加工設備と運搬設置設備に多大の費用と時間を必要とすると云う問題点がある。
また、該セラミックにおいては、形状加工に時間と手間を必要とし、しかも一度形状を決定すると、その後の形状変更が出来ないと云う不便な問題点がある。【０００４】  更に、近年衛生管理面においては、一般的に鉱石の空洞には、雑菌の繁殖する事例が報告されて衛生問題が発生している問題点もある。
そこで、本考案は、以上の問題点を解決したものであって、その主たる目的とする所は、簡易な設備と小型化及び軽量化と、容易に切断が可能となり、且つ加工後の各形状の変更や柔軟性を増加すれば、使用範囲が飛躍的に向上できるものである。
また、本考案は、合成ゴム内に粉末ゲルマニウム、粉末トルマリン及び粉末モナザイトをシート状に加工したもので、鉱石に雑菌が繁殖できる空洞を持たないので、水洗浄のみで衛生管理を簡素に出来るようにした事である。
【課題を解決するための手段】
【０００５】  上記目的を達成するために、本考案におけるイオン発生シート本体は、各種の合成ゴムの内部に、粉末無機ゲルマニウムと、粉末トルマリンと、粉末モナザイトとを混合圧延して合成ゴムのイオン発生シートを形成するものである。
また、該イオン発生シート本体の厚さ寸法を２ｍｍ及至５ｍｍの範囲内に形容したものである。
【考案の効果】
【０００６】  本考案によれば、従来のこの種の電気熱発生器、各種の原石、セラミック等によるマイナスイオン発生器の如く、重量の点を解決でき、且つ形状加工には、手間と時間が係る事がなく、更に、圧延加工後の形状変更が容易に出来る従来にない優れた便利な効果があると共に、一般的の鉱石の空洞に雑菌の繁殖する憂いがない優れた効果もある。そして、イオン発生シートの構成材料を合成ゴムの内部にゲルマニウム粉末、トルマリン粉末及びモナザイト粉末との３種類を混合してシート状に圧延形成したことにより、マイナスイオンを充分達成でき、各粉末の練り合わせて容易に合成ゴムと平均に混合することが出来る効果と、各種の形状及び変形が自由自在に出来ると共に、全体を軽量化に出来る効果もある。また、電気発熱器であるシートヒーターの上部にイオン発生シートを載置するだけで、マイナスイオンを容易に発生でき温浴を充分に達成できる効果もある。
更に、本考案におけるイオン発生シートの厚さ寸法を２ｍｍ及至５ｍｍに形成したことにより、他の厚さのものより最もマイナスイオン発生力を生じ、マイナスイオン効果を最大に達成される効果もある。
【考案を実施するための最良の形態】
【０００７】  次に、本考案の最良の用法を説明すると、電気発熱器であるシートヒーター等を電源に接続し、該シートヒーターの上面に布等を敷設して該イオン発生シートを載置することによってマイナスイオンを発生させて使用するものである。
【実施例】
【０００８】  本考案の実施例を図面について説明すると、図１に示すものは、マイナスイオンのイオン発生シート本体（１）の全体斜面図を示すものであり、図２に示すものは、図１Ａ−Ａ線の断面図を示し、イオン発生シート本体（１）には、各種の合成ゴム（２）の内部に、無機ゲルマニウム粉末（３）と、トルマリン粉末（４）及びモナザイト粉末（５）との３種類の各粉末を混合して該イオン発生シート本体（１）を板状に形成する。
該イオン発生シート本体（１）に適応する厚さ寸法は、２ｍｍ及至５ｍｍの範囲内が最良の状態である。
また、該イオン発生シート本体（１）は、マイナスイオンを促進できる形状として、箱型、球体型、ドーム型等の各種の形状として利用するものである。【０００９】  更に、該イオン発生シート本体（１）には、該合成ゴム、該ゲルマニウム粉末、トルマリン粉末及びモナザイト粉末以外に使用する材料としては、加硫助剤、加硫促進剤、充填剤、加硫剤、軟化剤及び顔料等を適宜の条件に応じて増減して注入使用するものである。
【図面の簡単な説明】
【００１０】
【図１】  本考案のイオン発生シート本体の全体斜面図である。
【図２】  同じく本考案の図１Ａ−Ａ線の縦断側面図である。
【符号の説明】
【００１１】１          イオン発生シート本体
２          合成ゴム
３          ゲルマニウム粉末
４          トルマリン粉末
５          モナザイト粉末
【図１】
0003141466.tif 000003
【図２】
0003141466.tif 000004
(57)【要約】      （修正有）【課題】複数の箸が挿入された箸立ての中から各自が一対の箸を容易に取出すことが出来る箸立てを得る。【解決手段】外形が円柱状または多角柱状で、複数の箸を入れる箸挿入穴１０ｄを有する箸立て２０において、上記箸挿入穴１０ｄを逆円錐形状とする。【選択図】図３
0003141464.tif 000002
【実用新案登録請求の範囲】
【請求項１】
外形が円柱状または多角柱状で、複数の箸を入れる箸挿入穴を有する箸立てにおいて、上記箸挿入穴を逆円錐形状としたことを特徴とする箸立て。
【請求項２】
外形が円柱状または多角柱状で、有底円柱状の箸挿入口を有する箸立て本体と、上記箸挿入口に装着され、逆円錐状の箸挿入穴を有する箸挿入部材とを備えたことを特徴とする箸立て。
【考案の詳細な説明】
【技術分野】
【０００１】  この考案は、複数の箸を入れる箸立てに関するものである。
【背景技術】
【０００２】    従来の箸立ては、図６に示す如く、外形が円柱状の箸立て１の上端面１ａから下方へ有底円柱状の箸挿入穴１ｂが設けられ、この箸挿入穴１ｂの底部に水切り用の簀張り２を設けている。また、底部は平面である。３は箸立て１に挿入された箸である。
【考案の開示】
【考案が解決しようとする課題】
【０００３】上述のような従来の箸立て１は、複数の箸３が箸挿入穴１ｂに挿入されているが、とかく一方に片寄ったり、重なったり、乱立するという問題点があった。
また、その箸立て１の中から各自が一対の箸３を取出すには容易でなく、目視と指で選び抜き出さなければならないと言う問題点が有った。【０００４】  この考案は、上述のような問題点を解決するためになされたもので、複数の箸が挿入された箸立ての中から各自が一対の箸を容易に取出すことが出来る箸立てを得ることを目的とする。
【課題を解決するための手段】
【０００５】  この考案の箸立ては、外形が円柱状または多角柱状で、一端に複数の箸を入れる箸挿入穴を有する箸立てにおいて、上記箸挿入穴を逆円錐形状としたものである。【０００６】  また、外形が円柱状または多角柱状で、有底円柱状の箸挿入口を有する箸立て本体と、上記箸挿入口に装着され、逆円錐状の箸挿入穴を有する箸挿入箱とを備えたものである。
【考案の効果】
【０００７】  この考案の箸立ては、複数の箸を入れる逆円錐形状の箸挿入穴を設けたので、箸挿入穴の中に挿入されている複数の箸が、一方に片寄ったり、重なったり、乱立することがなくなる。また、複数の箸が挿入された箸立ての中から各自が一対の箸を容易に取出すことが出来る。【０００８】  また、この考案の箸立ては、外形が円柱状または多角柱状で、有底円柱状の箸挿入口を有する箸立て本体と、上記箸挿入口に装着され、逆円錐状の箸挿入穴を有する箸挿入部材とを設けたので、箸挿入穴の中に挿入されている複数の箸が、一方に片寄ったり、重なったり、乱立することがなくなる。また、複数の箸が挿入された箸立ての中から各自が一対の箸を容易に取出すことが出来とともに、箸立て本体と箸挿入部材とを別体としたので、製作が容易である。
【考案を実施するための最良の形態】
【０００９】実施の形態１．
図１は、この考案の実施の形態１を示す箸立ての縦断面図である。図２は、図１の平面図である。図において、１０は箸立てであり、外形が円柱状の外周部１０ａと、上端面１０ｂから下方へ所定の位置まで円柱状の箸挿入口１０ｃが形成されている。また、箸挿入口１０ｃの下端から下方に、逆円錐状の箸挿入穴１０ｄが形成されている。箸挿入穴１０ｄの角度Ｒは、例えば４０〜８０度であり、５０〜７０度が望ましい。なお、、逆円錐状の箸挿入穴１０ｄは、箸挿入口１０ｃの上端面１０ｂから設けても良い。
また、この箸立ての材料は、木、合成樹脂、陶磁器またはアルミニュウム、ステンレス等の食品安全衛生に適する金属材料で形成されている。
なお、外周部１０ａは、円柱状でなく、四角柱、五角柱、六角柱または八角柱等の多角柱状でも良い。【００１０】  上述の様に構成された箸立て１０の使用方法を、図３に基づき説明する。図３は、この考案の箸立てに箸を入れた状態を示す縦断面図である。図において、３０は箸であり、複数の箸３０を箸挿入口１０ｃから箸挿入穴１０ｄへ入れる。そうすることにより、図４に示すように、箸３０の箸上部３０ａは箸挿入口１０ｃの上端の円周に沿って放射状に散開する。従って、箸３０を隣同士重なり合うことなく一本づつ林立させることができ、複数の箸３０が挿入された箸立て１０の中から各自が一対の箸３０を容易に取出すことが出来る。【００１１】実施の形態２．
図５は、この考案の実施の形態２を示す箸立ての縦断面図である。図において、１００は箸立てであり、箸立て本体５０と箸挿入部材６０とで構成されている。箸立て本体５０は、円柱状の外周部５０ａと、上端面５０ｂから下方へ所定の位置まで有底円柱状の箸挿入口５０ｃに装着されている。箸挿入部材６０は、外周部６０ａが円柱状で箸挿入口５０ｃに着脱自在に挿着され、逆円錐状の箸挿入穴６０ｂが形成されている。
また、この箸立て本体５０および箸挿入部材６０の材料は、木、合成樹脂、陶磁器またはアルミニュウム、ステンレス等の食品安全衛生に適する金属材料で形成されている。
なお、外周部５０ａは、円柱状でなく、四角柱、五角柱、六角柱または八角柱等の多角柱状でも良い。【００１２】  また、箸立て本体５０の材料として、節の付いた竹（図示せず）を用い、この竹の穴に逆円錐状の箸挿入穴６０ｂを有する箸挿入箱６０を装着しても良い。【００１３】  上述の様に構成された箸立て１００の使用方法及び効果は、上述の実施形態１と同様であるので省略する。
また、この箸立て１００は、箸立て本体５０と箸挿入部材６０とを別体としたので、製作が容易である。
【図面の簡単な説明】
【００１４】
【図１】  この考案の実施の形態１を示す箸立ての縦断面図である。
【図２】  図１の平面図である。
【図３】  この考案の箸立てに箸を入れた状態を示す縦断面図である。
【図４】  この考案の箸立てに箸を入れた状態を示す平面図である。
【図５】  この考案の実施の形態２を示す箸立ての縦断面図である。
【図６】  従来の箸立てを示す縦断面図である。
【符号の説明】
【００１５】  １０  箸立て、１０ａ  外周部、１０ｂ  上端面、１０ｃ  箸挿入口、１０ｄ  箸挿入穴、５０  箸立て本体、５０ａ  外周部、５０ｂ  上端面、５０ｃ  箸挿入口、６０  箸挿入部材、６０ｂ  箸挿入穴、１００  箸立て。
【図１】
0003141464.tif 000003
【図２】
0003141464.tif 000004
【図３】
0003141464.tif 000005
【図４】
0003141464.tif 000006
【図５】
0003141464.tif 000007
【図６】
0003141464.tif 000008
(57)【要約】【課題】  水分の多い生ゴミは、短時間で腐敗し臭気や汚水・汚物の原因となるので、可及的に生ゴミの水分を除去し、その廃液と生ゴミの保管を同時に行い且つ洗浄の簡単な水切り容器を得ることである。【解決手段】生ゴミを投入する水切り様の内容器に蓋をしてバケツ様の外容器に重ねて置く。更に内容器の生ゴミの上に重量のある重石を乗せて可及的に水分を分離し、排水孔を通して外容器に溜める。抽出された廃液と生ゴミはそれぞれ保管されるが、臭気が発生する前に適宜に処理する。該容器を水の掛らない調理台や流し台の上に置いて使用すれば流しが常に衛生的で外観上もよく、同時に内容器の目詰まりもなく分解洗浄が簡単に行える。更に外容器に溜った廃液を排水溝に流すことなく液肥として取り出すこともできる。【選択図】図１
0003141470.tif 000002
【実用新案登録請求の範囲】
【請求項１】
オープン式の生ゴミ用水切り容器をバケツ様の容器に重ねて置く二槽式の容器で、生ゴミの上に重石を乗せて自然滴下により水分を抽出し、その廃液と生ゴミの保管を同時に行い且つ洗浄が容易なることを特徴とする重石付きの水切り容器である。
【考案の詳細な説明】
【技術分野】
【０００１】  本考案は、生ゴミの廃液と保管を二漕式容器で行う生ゴミ用水切り容器に関するものである。
【背景技術】
【０００２】  大方の家庭では、台所の流しにオープン式の水切り容器を置き、生ゴミが溜れば袋かバケツに入れ、或いは流しに付属している水切り容器に溜めて廃棄している。何れにしても水切りが不十分で短時間で腐敗し臭気の原因となっている。更に粒状物質や粘性物を含む廃液は水切り容器を通過して排水溝へ流出している。
【考案の開示】
【考案が解決しようとする課題】
【０００３】  悪臭の原因となる生ゴミの水分を可及的に除去し、抽出した廃液と生ゴミの保管を同時に行い且つ洗浄の簡単な水切り容器を得ることである。更に廃液による排水管の詰まりや汚染物質の流出を未然に防止することである。
【課題を解決するための手段】
【０００４】  蓋付きの桶様の底に排水孔をあけて内容器とし、全体をバケツ様の外容器に重ねて置く。生ゴミを内容器に投入した後、重量のある重石を乗せて自然滴下により廃液を外容器の底に溜める。廃液と生ゴミはそれぞれ分離された状態で保管されるが、該容器は内容器を外容器に重ねて置くだけなので内容器の取り出しや洗浄が容易となる。
【考案の効果】
【０００５】  台所や厨房の流しが常に清潔になり、生ゴミが剥き出しになることもなく数日間ならば悪臭もなく保管できる。更に生ゴミは重石により可及的に水切りがしてあるのでゴミ袋で廃棄するにしても悪臭もなく容易に処理することができる。また、抽出された廃液を液肥として使用し生ゴミを堆肥化させて使用することも可能である。
【考案を実施するための最良の形態】
【０００６】  該容器を水の掛らない調理台か流し台の上に置いて常時使用することにより、生ゴミの水切りと保管を同時に行う。手間は掛かるが調理終了後に必ず重石を生ゴミの上に乗せて置くとよい。水切りを絶えず実施することにより早急な腐敗防止に役立つ。また、廃液を排水溝から流すことなく液肥として使用するとよい。一方、生ゴミを直接廃棄するか堆肥にするかは各自の住宅事情や環境に合わせて処理すればよい。
【実施例】
【０００７】  以下、添付図面に従って一実施例を説明する。図１の１は生ゴミを投入する約８リットルの内容器で外側に膨らみを持たせた底を持つ。２は内容器の底で図３の３の様に直径が約５ｍｍの排水孔約３０個を持つ。４は約１０リットルの廃液を溜める外容器である。図１の様に内容器を外容器に重ねて置く。容器および蓋８は何れもプラスチックを素材とし、外容器にはスチール製の手提げ用の把手６を取り付ける。生ゴミの上にプラスチック製の重石板１１を置き約３ｋｇのセラミックス製の重石９を乗せる。内容器の容量がこの程度の場合には４人家族で約２日分の調理後の野菜屑や残飯を臭気もなく保管できる。【０００８】  家族構成や用途に合わせてサイズやカラー或いは形を選択することが出来る。重石や重石板も容器の大きさや生ゴミの分量によって選択できる。製作費は安価で既存の製品（桶、バケツ類、重石板、重石）を再加工しても製作が可能である。
【産業上の利用分野と公益】
【０００９】  各家庭や飲食店からでる水分の多い生ゴミを一時保管し、可及的に乾いた生ゴミにするための水切り容器の需要は今後益々見込まれる。生ごみを圧縮して自然滴下により水分を除去すれば焼却処分に余分な熱エネルギーや電力を費やさずにすむ。また生ゴミと廃液をそれぞれ堆肥や液肥にすれば資源の再利用の一環となり且つ汚水・汚物の流出を未然に防止し環境保護に繋がる。該容器は製作費用が安く消費者には手頃な値段で普及できる。
【図面の簡単な説明】
【００１０】
【図１】本考案の重石付き生ゴミ用水切り容器の一実施例を示す斜視図である。
【図２】本考案の重石付き生ゴミ用水切り容器の一実施例を示す平面図である。
【図３】本考案の内容器の底の穿孔の状態を示す斜視図である。
【図４】本考案の重石と重石板の斜視図
【符号の説明】
【０００１１】    １  内容器
２  内容器の底
３  内容器の底の穿孔
４  外容器
５  外容器の底
６  握り棒付き把手
７  把手の取り付け部
８  把手付き蓋
９  重石
１０  重石の把手
１１  重石板
１２  内容器内生ゴミ
【図１】
0003141470.tif 000003
【図２】
0003141470.tif 000004
【図３】
0003141470.tif 000005
【図４】
0003141470.tif 000006
(57)【要約】【課題】  おおよそ−５℃前後から凝固反応を始めるメチルエステル化されたバイオディーゼル燃料のうち廃食油再生燃料を、タンク部分を加温することで燃料の流動性を高め、非寒冷期と同様な使用環境を提供する。【解決手段】  車両燃料タンクに着脱可能な加温装置を設け、脱落防止金具を用いて燃料タンクに固定し、車室内運転席付近にて燃料タンク・燃料フィルターの温度センサーにて得られた温度を監視すると共に、燃料凝固の進行しない温度を車載バッテリーおよび外部供給からなる電源を用いて燃料タンク内を適温に加温させる。【選択図】図２
0003141469.tif 000002
【実用新案登録請求の範囲】
【請求項１】
燃料タンクに適宜加温手段を施し、該加温手段を制御する手段を設けてなり、前記加温手段を適当な固定手段により固定することを特徴とする車両用燃料タンク加温装置。
【考案の詳細な説明】
【技術分野】
【０００１】  本考案は、主にバイオディーゼル燃料のうち廃食油再生燃料の低温時における燃料凝固を解消するための装置に関するものである。
【技術背景】
【０００２】  主にバイオディーゼル燃料のうち廃食油再生燃料における燃料凝固の主な原因は、低温時の流動性低下であり、それらの状況は燃料タンク内および送油パイプ・燃料フィルター内部で発生する。
従来はメチルエステル化されたバイオディーゼル燃料のうち廃食油再生燃料の使用において、厳冬期は主に流動点降下剤等を用い燃料凝固防止の対処をしていた。
そのほか、使用済み植物性廃油中のゴミなどの不純物をろ過した油を直接燃料タンクに投入し、燃料噴射ポンプ付近に付加する加熱装置により流動性を確保し、植物性廃油をそのままディーゼル機関の燃料とする方法がある。
上記いずれの燃料も、厳冬期の使用においてはタンク内における低温時独特の燃料性状により凝固が進み、燃料噴射ポンプまでの燃料供給が不安定となりやすく機関の始動および走行が不安定となる。
【考案の開示】
【考案が解決しようとする課題】
【０００３】  主にメチルエステル化されたバイオディーゼル燃料のうち廃食油再生燃料において、低温時における燃料凝固を抑制する薬剤（流動天候降下剤）を使用することなく、通年変わらぬ製造方法においてバイオディーゼル燃料を製造し利用できる環境を提供するものである。
【考案を実施するための最良の手段】
【０００４】  主な装置は、燃料タンクに固定する加温ユニット、車室内における制御ユニットからタンク温度及び通電状況・電源制御を行う基盤、外部電源を利用する場合の電源供給コンセントからなる。
加温ユニットは燃料タンクの本体底部へ電熱線等による熱源を利用し、タンクを燃料凝固しない温度（およそ５℃から１５℃）に維持させ、そのための電源供給は車載のバッテリー及び外部電源から供給出来る事とする。
車載バッテリーでの電源供給は、基本的にエンジン作動時にのみ作動する事とし、それ以外は外部電源からの電源供給とする。
これは、車載バッテリー負担を軽減すると共に、エンジン始動前の廃食油再生燃料の温度を始動可能な状態に維持させておく目的がある。
燃料タンクおよび燃料フィルターに設置された各温度センサーは、廃食油再生燃料の温度を監視し、燃料タンク加温装置へ加温の可否を判断する。
加温ユニットの固定は、乗用車等の車種毎に変化する燃料タンクの形状に合わせる場合と、貨物トラック等の燃料タンクのようなタンク容量によって規格化された場合で適宜固定手段を設ける。
前者の場合、車体に固定された燃料タンク固定位置を利用し、既存の固定ボルトにて供締めし固定される。
後者は、車体のラダーフレームから提供される燃料タンク固定位置に加温ユニットを金属製の固定金具で固定する。
加温装置本体は、加温部分を保温材で包含させた樹脂あるいはＦＲＰ製の燃料タンクガードとなり、単純・軽量な着脱式で、加温の必要の無い場合に燃料タンクから取り外し可能な状態となる。
【考案の効果】
【０００５】  現在、一般的に流通している流動点降下剤は、通常の精製行程完了後に混合・攪拌の行程を付加しなければならない。
加えて製造時及び販売時のコストも製造量及び使用量に比例して付加されることとなる。
この装置を装着することにより、通常の製造工程で精製される燃料を使用することが出来るほか、流動点降下剤による製造・販売コストを抑制することが出来る。
【実施例】
【０００６】  以下、添付図面に従って本考案の実施様態について説明する。
図１において、６からの燃料は５においてのろ過行程を経て、８へ燃料供給され１の運転が可能となる。
４は５での温度情報を測定するために設置する。
図２において、２の中で貯蔵されている燃料は、１１で供給される電源より３で加温され、６よりエンジン側へ移送される。
４に２での温度情報を測定するために設置する。
１０を使用し該当車種に応じて適宜取付け方法を設ける事とし、加温の必要が無い場合、３の部分を着脱可能な状態とする。
図３において、図１の４及び図２の４で計測された温度情報を表示し燃料加温温度を制御する。
電源の供給は、１１を介して行われ、エンジン始動中においては１３、未始動時は１５を利用し、１４において電源供給の入出力を手動操作する。
図４において、エンジン未始動時の図２の３への電源供給を１５を介し供給する。
【図面の簡単な説明】
【０００７】
【図１】  本考案のエンジンルーム内の概念図である。
【図２】  本考案の燃料タンク付近の概念図である。
【図３】  本考案の車室内（運転席付近）の概念図である。
【図４】  本考案の外部電源利用の概念図である。
【符号の説明】
【０００８】１：エンジン                      ９：センサーケーブル
２：燃料タンク                  １０：加温装置固定ベルト
３：加温装置                    １１：電源ケーブル
４：温度センサー                １２：車内モニター
５：燃料フィルター              １３：車載バッテリー
６：燃料パイプ（送）            １４：メインスイッチ
７：燃料パイプ（戻）            １５：外部電源供給コンセント
８：燃料噴射ポンプ
【図１】
0003141469.tif 000003
【図２】
0003141469.tif 000004
【図３】
0003141469.tif 000005
【図４】
0003141469.tif 000006
(57)【要約】蝶の幼虫飼育において，この飼育装置を使用することにより作業の改善できた。【課題】蝶の幼虫飼育において、幼虫の逃げ出し保持と風通しが悪いと雑菌の繁殖などの問題いかに自然に近い状態で飼育観察できることが要望されている。【解決手段】風通しをよくするためと幼虫の保持と観察が外部からできるようにメッシュを採用した。水の補給が、幼虫の障害にならないよう外部からできるよう配慮、ストローで解決した。【選択図】図１
0003141411.tif 000002
【実用新案登録請求の範囲】
【請求項１】
蝶の幼虫を飼育するための装置です。
限られたスペースの中で、食草の維持のための水補給が容易にできること。
幼虫の保持管理ができると共に、外部から観察できること。
食草の交換および排泄物の簡単に処理ができること。
風通しを極力、自然に近い状態に保持できること。
【考案の詳細な説明】
【技術分野】
【０００１】本考案は、従来の諸問題を回避できるよう工夫された蝶幼虫飼育装置に関するものである。
【背景技術】
【０００２】食草を、新鮮な状態に保持することが難しい。したがって、その交換頻度が多い幼虫が移動するので、容器から逃げ出すことがある。逆に、密閉しすぎると風とおしが悪く死亡率が高くなる。
【図面の簡単な説明】
【０００３】
【図１】部品の正面図である。
【図２】使用状況の図面である。
【符号の説明】
【０００４】１ａ  装置上部の部品で、給水部分（ストロー）１ｂネットを広げるの傘（皿）で構成
２ｂ  装置下部の部品でペットボトルタイプ容器２ａ受けトレイで図のように接着されている。
３    幼虫逃避回避のためのネット（メッシュ袋）
４    水の補給用スポイト
【図１】
0003141411.tif 000003
【図２】
0003141411.tif 000004
【手続補正書】
【提出日】平成19年11月16日(2007.11.16)
【手続補正１】
【補正対象書類名】実用新案登録請求の範囲
【補正対象項目名】全文
【補正方法】変更
【補正の内容】
【実用新案登録請求の範囲】
【請求項１】
蝶の幼虫を飼育するための装置において
（１）装置上部の部品、食草の維持のための水補給を図面１にある給水部分（ストロー）からスポイトなどにより食草維持するために水を注入できるようにした部品
（２）装置下部の部品、幼虫の排泄物の受け皿と食草維持の水いれタンクの役割もった部品
（３）幼虫の逃避回避のために図面２のネット（メッシュ袋）で蓋うことにより幼虫の逃避を防ぐことを可能とし、またメッシュにより外部からの観察を出来るようなメッシュ袋部品
以上からなる蝶幼虫飼育装置。
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
スポイトなどにより食草維持するために水を注入できるように注入口を設けまたメッシュ袋の形状を整えるための傘のような屋根からなる装置上部の部品と幼虫の排泄物の受け皿と食草維持の水いれタンクの部品の役割もった装置下部の部品と幼虫の逃避回避および風とおしの良いことを実現するためにメッシュ袋の部品からなり簡単に組み立てられる特徴とする蝶幼虫飼育装置。
(57)【要約】      （修正有）【課題】一般人が入手しがたい、自転車用の特殊な工具であるペダル用片口スパナに１２角形ボックススパナを一つの工具にする事で利便性、入手安さ、安価、保持の容易さに資する。【解決手段】ペダル用片口スパナの一方側に１２角形ボックススパナ（車軸ボルト貫通）を溶接した工具である。これをホームセンターや１００円ショップで売ると良い。【選択図】図１
0003141415.tif 000002
【実用新案登録請求の範囲】
【請求項１】
自転車ペダル専用片口スパナの一方側にボルト径＋２ｍ／ｍ程度の穴を貫通した１２角形ボックススパナを溶接したのもである（１２角形ボックススパナ内に於けるナットストロークはナットの高さ（長さ）＋１０ｍ／ｍ程度を加えたもの）
【考案の詳細な説明】
【技術分野】
【０００１】この考案は自転車の車軸ナット及びペダル着脱に関するスパナである．
【背景技術】
【０００２】従来自転車店専用工具では一般には入手が困難であり、自転車店に（彼らの商売道具である．）購入を言う場合気おくれし、セット工具と言うものはあるにはあるが玩具に等しく役に立たず、しかも高価である．（６０００円位）
【考案の開示】
【考案が解決しようとする課題】
【０００３】自転車専用工具（ＪＩＳ規格外）は一般的には特殊工具に属し、一般消費者には入手しがたいものである．本考案は簡単な組み合わせにより安価に生産でき入手しやすくしたものである．
【課題を解決するための手段】
【０００４】ペダル用片口スパナと１２角形ボックススパナ（ボルト貫通）を合体したものである．
【考案の効果】
【０００５】元来自転車店専用（彼らの商売道具）に作られた工具である為に入手しがたい．しかし本考案は入手が容易になる．
（ホームセンターや１００円ショップ等で）そうなれば家庭や車に常備しとけばパンク修理やタイヤ．チューブの交換が極めて容易になる．その外車輪やペダルを外せば車のトランクに収能すること極めて容易になる．
（現在高額自転車と格安な自転車が極度に２分化しており高額な自転車を盗まれない様自動車のトランクに収納する者多々あるを知る）
〔考案を実施する為の最良の状態〕【０００６】以下本考案の実施例について説明
ペダル用片口スパナに１２角形ボックススパナを溶接するもので元来あるラチェット構造を廃し、一体工具とする．
形はシンプルで軽量・安価を主旨とし市民に容易に購入でき、使用に利便を計るものである．
【図面の簡単な説明】
【０００７】
【図１】上（正）面図
【図２】側面図
【図３】断面図
【符号の説明】
【０００８】１．ペダル用片口スパナ．
２．１２角形ボックススパナ
３．溶接部
尚．ペダル用片口スパナの材厚（３ｍ／ｍ以下）は制約を受ける為凹凸を形成し補強を必要とする．
【図１】
0003141415.tif 000003
【図２】
0003141415.tif 000004
【図３】
0003141415.tif 000005
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
自転車専用片口スパナのハンドル部末端平面部に口径１５ミリメートルで長さ５０ミリメートルで穴が貫通したボックススパナを溶接した自転車専用の特徴あるコンビネーションスパナである。
(57)【要約】【課題】本考案は、通常のスリッパを半廻転するよう考案した。【解決手段】通常のスリッパの土踏まずの部分に廻転盤を置き、踵が跳ね上がる様に「く」の字にプレスした鋼板にワイヤーを連動させ廻転するよう工夫した。【選択図】図１
0003141412.tif 000002
【実用新案登録請求の範囲】
【請求項１】
（イ）従来のスリッパを脱いだ後、１８０度廻転するよう技巧を施した。
（ロ）スリッパの土踏まずの位置に「く」の字型にプレスした鋼板をセット、脱いで跳ね      上がる力を動力とする。
（ハ）スリッパの土踏まずの位置にミニ廻転盤を固定し鋼板にセットしたワイヤ−を廻転      盤に連結さす。動力によって１８０度廻転するよう工夫した。（図２参照）
（ニ）鋼板又はスプリングも可
ワイヤ−は自転車用が最適
廻転盤は硬アクリル製、形を起こす時点で上部を円形にする。（突起）健康スリッ      パになる。（図１参照）
上記（イ）（ロ）（ハ）（ニ）の構成によりなるスリッパ。
【考案の詳細な説明】
【技術分野】
【０００１】スリッパを改良、廻転するスリッパ
【背景技術】
【０００２】質の差こそあれ通常使用のスリッパ
【考案の開示】
【考案が解決しようとする課題】
【０００３】通常のスリッパのやや中央、土踏まずの位置にミニ廻転盤をセット、踵部の鋼板（くの字型）上部よりワイヤ−を廻転盤に連結させ跳ね上がる力を動力にする。（図１参照）
【考案解決しようとする為の手段】
【０００４】スリッパの土踏まずの位置の底の部を廻転盤のサイズに切り取り廻転盤に密着させる。ワイヤ−の先端は廻転盤に差し込み止める。（図１参照）
廻転盤はニュ−トラルなので歩行には差し支えなし、踵の高さは約４種に設定し、廻転盤は１８０度廻転する様工夫した。尚廻転盤の上部の突起の部も本体と密着さす事。
【図面の簡単な説明】
【０００５】
【図１】スリッパの断面図
【図２】スリッパの後部の平面図
【図１】
0003141412.tif 000003
【図２】
0003141412.tif 000004
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
（イ）従来のスリッパを脱いだ後、１８０度廻転するよう技巧を施した。
（ロ）スリッパの踵の位置に「く」の字型にプレスした鋼板をセット、脱いで跳ね上がる力を動力とする。
（ハ）スリッパの土踏まずの位置にミニ廻転盤を固定し鋼板にセットしたワイヤーを廻転盤に連結さす。動力によって１８０度廻転するよう工夫した。（図２参照）
（ニ）鋼板又はスプリングも可
ワイヤ−は自転車用が最適
廻転盤は硬アクリル製、形を起こす時点で上部を円形にする。（突起）健康スリッパになる。（図１参照）
上記（イ）（ロ）（ハ）（ニ）の構成によりなるスリッパ。
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
スリッパの踵の部位に「く」の字型にプレスした鋼板をセットし脱いだ時跳ね上がる力を動力とした。スリッパの中心部位にミニ廻転盤を固定し鋼板上部より自転車用のワイヤ−をＬ状に廻転盤の下部に連結させ、動力により１８０度廻転するよう工夫した。
上記、鋼板、ワイヤ−、ミニ廻転盤の構成により脱いだ時１８０度廻転するスリッパ
【手続補正２】
【補正対象書類名】明細書
【補正対象項目名】全文
【補正方法】変更
【補正の内容】
【考案の詳細な説明】
【技術分野】
【０００１】スリッパを改良・廻転するスリッパ
【背景技術】
【０００２】質の差こそあれ通常使用のスリッパ
【考案の開示】
・考案が解決しようとする課題
【０００３】通常のスリッパのやや中央の部位にミニ廻転盤をセット、踵部の鋼板（くの字型）上部よりワイヤ−を廻転盤に連結させ跳ね上がる力を動力にする。
・考案が解決しようとする為の手段
【０００４】スリッパの中央部位の底の部を廻転盤のサイズに切り取り廻転盤に密着させる。ワイヤ−の先端は廻転盤の下部に差し込み止める。踵の高さは約４センチに設定し廻転盤は１８０度廻転するよう工夫した。尚、廻転盤の上部も本体と密着さす事。廻転盤はニュ−トラルなので歩行時には元に戻る。
【図面の簡単な説明】
【０００５】
【図１】スリッパの断面図
【図２】スリッパの後部の平面図
【手続補正３】
【補正対象書類名】図面
【補正対象項目名】全図
【補正方法】変更
【補正の内容】
【図１】
0003141412.tif 000005
(57)【要約】      （修正有）【課題】既存の植木鉢は概ね下細に形成され、接地面が狭いため、風に吹き倒されやすく、その都度起こしてはこぼれた用土や置き肥などを鉢に戻さねばならず、使用上不便である。【解決手段】このような手間や不便を軽減・解消するために（１）植木鉢の底部を拡大し、倒れにくくなるように工夫したものである。（２）鉢皿を深くして植木鉢を支え、かつ鉢皿の底部を拡大して植木鉢が倒れにくくなるように工夫したものである。【選択図】図１
0003141418.tif 000002
【実用新案登録請求の範囲】
【請求項１】
底部の接地部分が拡大され、倒れにくく形成されたことを特徴とする植木鉢。
【請求項２】
受け皿を在来品よりも深くすることにより植木鉢を支え、かつ底部の接地部分を拡大することにより植木鉢が倒れにくくなるように形成されたことを特徴とする鉢皿。
【考案の詳細な説明】
【考案が解決しようとする課題】
既存の植木鉢は、通常下細の形状をしており、接地面が狭いため、風で吹き倒されやすく、その都度起こして、こぼれた用土や置き肥などを戻さねばならず、不便である。
【課題を解決するための手段】
（１）倒れんポット。本案は、このような手間と不便を解消・軽減するための工夫で、底部が円盤状またはギザギザ、ないし花弁状などに拡大されているために、既存品よりも倒れにくくなるように工夫されている。
（２）倒れん皿。本案は、このような手間と不便を解消・軽減するための工夫がなされた植木鉢用の受け皿で、在来の鉢皿より深く、かつ底部が円盤状またはギザギザ、ないし花弁状などに拡大されているために、植木鉢が既存の鉢皿よりも倒れにくくなるように工夫されている。
【発明の効果】
上記（１）（２）とも、使用することにより植木鉢が既存品よりも風で倒されにくくなり、園芸上の無用な手間と不便を防止・軽減することができる。
【図面の簡単な説明】
【図１】本品（１）の一例を斜め上方から見下ろした図である。
【図２】本品（２）の一例を斜め前方から見下ろした図である。
【図１】
0003141418.tif 000003
【図２】
0003141418.tif 000004
【手続補正書】
【提出日】平成20年2月6日(2008.2.6)
【手続補正１】
【補正対象書類名】実用新案登録請求の範囲
【補正対象項目名】全文
【補正方法】変更
【補正の内容】
【実用新案登録請求の範囲】
【請求項１】
接地部分が植木鉢の底部より拡大され、倒れにくくなるように形成された植木鉢。
【請求項２】
受け皿が植木鉢を支え得るような深さを持ち、植木鉢の下部に密着するような形状に形成され、かつ接地部分が拡張され、植木鉢が倒れにくくなるよう工夫されたことを特徴とする鉢皿。
(57)【要約】      （修正有）【課題】野球帽子形のツバ（ブリム）の長短、拡狭を明暗、場所に応じて自在に交換できるようにする。【解決手段】元の野球帽子形のツバを必要最小限の大きさにして別途のツバ（広く、長い、他）をヒネリ止具で着脱を容易にする様にした。【選択図】図−３
0003141417.tif 000002
【実用新案登録請求の範囲】
【請求項１】
帽子のツバ（ブリム）にヒネリ止具オス（バネ内蔵）２〜３個取り付ける。
【請求項２】
別途（取り付け用）ツバ（ブリム）にヒネリ止具メス２〜３個取り付ける。
【考案の詳細な説明】
【技術分野】
【０００１】野球帽子形のツバについての考案です。
【背景技術】
【０００２】野球帽子形のツバが長いものもあるが概して程良い長さである。要するに普通である。程良い長さ故に屋外では小さすぎ、逆に屋内や夕方になると影を作り暗く感じる、と、いって脱帽するには抵抗がある、
と、いうことで考案しました。
【考案の開示】
【発明が解決しょうとする課題】
【０００３】帽子のツバの長短が時間や場所によって交換する事が出来ないか。明るい場所では、広く長い、ツバを用い、屋内や夕方には短くするにはどうするかを考えた。
【課題を解決するための手段】
【０００４】帽子のツバを必要最小限の広さ、長さにしておく、屋外で眩しさを防ぎたい時は別途に広く長い、ツバを所持していて、帽子のツバの上に重ねて使えば良い
以上の様に考案しました。
【考案の効果】
【０００５】広く長いツバを別途化すれば、時間や場所によって自在に対応出来る、その上ツバの工夫も色々出来る。
【考案を実施する為の最良の状態】
【０００６】帽子の必要性が高い屋外に於いて交換ツバの広さ、長さ、形、材質、色彩、模様、四季対応、その他各人の工夫が自由に楽しめ広がり感がある、なお、ツバの着脱方法には差し込み式、ネジ、ヒモ等色々考えられるが、姿良さも手伝ってヒネリ止具を例としてみた。
【図面の簡単な説明】
【０００７】
【図−１】元の野球帽子形（ツバは必要最小限に止む）
【図−２】別途のツバ（巾広、長い）
【図−３】別途のツバを着けたもの、
【図−４】ヒネリ止具バネ内蔵（拡大図）
【符号の説明】
【０００８】図−１．  １．帽子．１′ヒネリ止具オス（バネ内蔵）
図−２．  ２．別途のツバ．２′ヒネリ止具メス穴
図−４．  １．ヒネリ止具オス．２．ヒネリ止具メス穴
３．バネ
【図−１】
0003141417.tif 000003
【図−２】
0003141417.tif 000004
【図−３】
0003141417.tif 000005
【図−４】
0003141417.tif 000006
【手続補正書】
【提出日】平成20年2月13日(2008.2.13)
【手続補正１】
【補正対象書類名】実用新案登録請求の範囲
【補正対象項目名】全文
【補正方法】変更
【補正の内容】
【実用新案登録請求の範囲】
【請求項１】
帽子のツバにヒネリ止具オスを２〜３個を取り付けた事を特徴とする帽子。
【請求項２】
請求項１の組み合わせに係る、取り付けツバでヒネリ止具メスを２〜３個取り付けた事を特徴とする取り付け用ツバ。
(57)【要約】      （修正有）【課題】１撮影に１回のフラッシュ発光では記録に残すだけであり撮影と実写の関係は１対１の関係にある。撮影での多様な表情と表現の豊かさを可能にする使い切りカメラを提供する。【解決手段】使い切りカメラに複数のフラッシュを装着することで１撮影に複数回のフラッシュ発光を可能とした。【選択図】図１
0003141420.tif 000002
【実用新案登録請求の範囲】
【請求項１】
カメラに複数のフラッシュを装備する使い切りカメラ。
【請求項２】
複数装備されたフラッシュを、１回の撮影でそれぞれ２回以上発光させることが出来る。
つまり、４回以上の発光可能な使い切りカメラ。
【考案の詳細な説明】
【技術分野】
【０００１】本考案は、使い切りカメラに関する。
【背景技術】
【０００２】昼でも夜でもフラッシュを利用して対象物をきれいに撮影するフラッシュ撮影をさす。
【考案の開示】
【考案が解決しようとする課題】
【０００３】１撮影に１回のフラッシュ発光では記録に残すだけであり撮影と実写の関係は１対１の関係にある。
この１対１の関係では撮影での多様な表情と表現の豊かさを制限される欠点があった。
【課題を解決するための手段】
【０００４】本考案は、使い切りカメラに複数のフラッシュを装着することで１撮影に複数回のフラッシュ発光を可能とした。
【考案の実施するための最良の形態】
【０００５】１シャッターで４回以上フラッシュが発光することで撮影現場はスーパースター気分で、写真を撮る側と映される側双方に楽しさを高揚させ豊かな表情の演出を可能にする。
【考案の効果】
【０００６】本考案により、多様な表情と表現の撮影を可能にしたことで付加価値が向上して、実用性を高めた。
【図面の簡単な説明】
【０００７】
【図１】複数のフラッシュを装着した使い切りカメラ
【符号の説明】
【０００８】１  ・・・既存のフラッシュ
２  ・・・新設したフラッシュ
【図１】
0003141420.tif 000003
【手続補正書】
【提出日】平成20年2月6日(2008.2.6)
【手続補正１】
【補正対象書類名】実用新案登録請求の範囲
【補正対象項目名】全文
【補正方法】変更
【補正の内容】
【実用新案登録請求の範囲】
【請求項１】
「考案する使いきりカメラは、
（１）複数のフラッシュを装備し、
（２）１回シャッターを押すことで、複数装備されたフラッシュそれぞれが２回以上発光する、
以上からなる使いきりカメラ。
(57)【要約】【課題】この考案は、支柱が被検査物である電柱の高圧線に触れて感電を起こさないよう、作業員の安全を図ることのできる構造の支柱を開発・提供することにある。【解決手段】アルミ等の金属製の多段式伸縮支柱において、支柱本体の上部、あるいは中部に位置する支柱（１ａ）に絶縁手段（２）を施したことを特徴とする多段式伸縮支柱から構成されるものである。尚、絶縁手段（２）とは、上部あるいは中部に位置する支柱に絶縁素材で形成した支柱（１′）を設けるか、支柱（１）の表面に絶縁膜（２ａ）で被覆したものであり、支柱の本数は、７本に限定されることはなく、調査対象の電柱の高さによって、自ずから本数は異なるものである。【選択図】      図１
0003141369.tif 000002
【実用新案登録請求の範囲】
【請求項１】
多段式伸縮支柱において、支柱本体（１）の上部あるいは中部に位置する支柱（１ａ）に絶縁手段（２）を施したことを特徴とする多段式伸縮支柱。
【請求項２】
絶縁手段（２）が、金属製の支柱（１）の表面を絶縁膜（２ａ）で被覆するか、あるいは、支柱（１′）を絶縁素材で形成したものであることを特徴とする請求項１記載の多段式伸縮支柱。
【考案の詳細な説明】
【技術分野】
【０００１】
この考案は、多段式伸縮支柱における支柱の絶縁構造に関するものであり、特に、電柱の劣化状態を調査するために使用する多段式伸縮支柱に関する。
【背景技術】
【０００２】
従来、電柱の劣化状態の検査においては、地下部は傷探装置を用いて行っていたが、地上部では目視による検査を行っている。
【０００３】
しかしながら、高い電柱においては、目視が不可能であり、このような場合にはバケット車のバケットに乗って近辺まで近寄り確認したり、或いは、双眼鏡にて確認したりしていた。その結果、データには残らないものであった。そのため、データに残す手段として、電柱に添って、支柱を起立させて、該支柱の上部に無線で作動可能なカメラを装着し、該カメラの捉えた映像を、地上でパソコンにてデータ処理し、データに残そうとするものである。
【０００４】
しかし、天候の突然の変化により、例えば，強風等により、支柱が煽られ、不安定となり、傾いて高圧線に接触したりすると、支柱付近にいる検査する作業員が感電する事故が生ずることも考えられ作業員の安全を守る必要があった。
【考案の開示】
【考案が解決しようとする課題】
【０００５】
そこで、この考案は、支柱が被検査物である電柱の高圧線に触れて感電を起こさないよう、作業員の安全を図ることのできる構造の支柱を開発・提供することにある。
【課題を解決するための手段】
【０００６】
この考案による課題を解決するための手段としては、支柱のうち、特に、感電の危険性の有る支柱の上部部分付近を絶縁処理をすることにより、安全な多段式伸縮支柱から構成されるものである。
【考案の効果】
【０００７】
この考案によると、支柱の上部部分を絶縁処理しているため、例え、高圧線に触れても感電を防ぐことができ、また、これにより、作業員の身の安全を守ることができる等極めて有益なる効果を奏するものである。
【考案を実施するための最良の形態】
【０００８】
以下、この考案の好適な実施の形態について、多段式伸縮支柱において、支柱本体の上部、あるいは中部に位置する支柱（１ａ）に絶縁手段（２）を施したことを特徴とする多段式伸縮支柱から構成されるものである。
【実施例】
【０００９】
この考案の一実施例を図１（ａ）および（ｂ）に基づいて詳細に説明すると、アルミ等の金属製の支柱本体（１）は、７本を伸縮可能につなぎ合わせて構成されており、空気圧等の動力源（図示せず）を作動させることにより伸縮自在に構成されている。  尚、図１（ａ）には中部に位置する支柱にのみ絶縁手段（２）を施したものを図示したが、上部だけ、あるいは、上部および中部に絶縁手段（２）を施す場合もある。そして、支柱の本数は、７本に限定されることはなく、調査対象の電柱の高さによって、自ずから本数は異なるものである。
【００１０】
そして、支柱本体（１）の上部、あるいは中部に位置する支柱（１ａ）には、絶縁手段（２）を施しており、その具体的な絶縁手段（２）としては、支柱本体（１）の上部、あるいは中部に位置する支柱（１ａ）を、ＦＲＰを素材とする絶縁性の樹脂を塗布して、支柱を絶縁膜（２ａ）で被覆して構成するものである。
【００１１】
そして、支柱本体（１）の上部、あるいは中部に位置する支柱（１ａ）には、絶縁手段（２）を施しており、その具体的な構造は、上部、あるいは中部に位置する支柱（１ａ）を、ＦＲＰを素材とする絶縁性の樹脂を素材とした絶縁素材からなる支柱（１′）で構成されたものである。尚、ＦＲＰ〔fiberglass reinforced plastics〕は、強化プラスチックであり、他のプラスチックに比べて強度が極めて大きく、また比重換算すると鋼材よりも強度が大きい。
【００１２】
また、支柱（１）の上端には、カメラ（図示せず）を装着しており、該カメラで、支柱の撮影しようとする部分を正確に撮影するため、支柱（１）が回転することを防止するため、アーム（３）を介してガイドロープ（４）が設けられている。
【産業上の利用可能性】
【００１３】
この考案の技術を確立し、実施・販売することにより、産業上利用できるものである。
【図面の簡単な説明】
【００１４】
【図１】この考案の一実施例を示す支柱であり、（ａ）は、伸びた状態の正面図であり、（ｂ）は、縮んだ状態の正面図である。
【図２】この考案の一実施例を示す図１中Ａ−Ａ断面図である。
【図３】この考案に他の実施例を示す断面図である。
【符号の説明】
【００１５】
１  支柱本体
１ａ  上部、或いは中部に位置する支柱
１′絶縁素材からなる支柱
２  絶縁手段
２ａ  絶縁膜
３  アーム
４  ガイドロープ      
【図１】
0003141369.tif 000003
【図２】
0003141369.tif 000004
【図３】
0003141369.tif 000005
(57)【要約】      （修正有）【課題】作業効率を上げ、道具を大切に使う。作業効率の改善とエアガンの落下防止。【解決手段】プラスチック製の釘打ちエアガンホルダーの本体の後ろに、釘打ちエアガンの持ち手部分のための開口部をもうけ、本体下部に鉄板をもうけ、胸の辺りにベルトで携帯することを特徴とする。【選択図】図１
0003141320.tif 000002
【実用新案登録請求の範囲】
【請求項１】
プラスチック製の釘打ちエアガンホルダーの本体の後ろに釘打ちエアガンの持ち手部分のための開口部をもうけ、本体下部に鉄板をもうけ、ベルトで胸の辺りに携帯することを特徴とすることを特徴とする釘打ちエアガンホルダー。
【考案の詳細な説明】
【技術分野】
【０００１】
本考案は、釘打ちエアガンホルダーを体に携帯し、釘打ちエアガンを納めることにより作業効率を改善し、釘打ちエアガンも大切にするというものである。
【背景技術】
【０００２】
今までのやり方だと、親方がいちいち子方に取ってもらわなければならず不自由だった。
【考案の開示】
【考案が解決しようとする課題】
【０００３】
作業効率の向上と釘打ちエアガンの落下防止。
【課題を解決するための手段】
【０００４】
プラスチック製の釘打ちエアガンホルダーの本体の後ろに釘打ちエアガンの持ち手部分のための開口部をもうけ、本体下部に鉄板をもうけ、ベルトで胸の辺りに携帯することを特徴とすることを特徴とする釘打ちエアガンホルダー。
プラスチック製の釘打ちエアガンホルダーと言う本体の後ろに釘打ちエアガンの持ち手部分のための開口部をもうけ、釘打ちエアガンの釘が出るところの部分から釘をはなってしまっても安全にするために鉄板をもうけた、ベルトで胸の辺りに携帯することを特徴とするもので、親方がいちいち子方にとってもらわなくてもいいので、作業効率があがり、従来のようにおいて置いて釘打ちエアガンを落下させることがないもの。
そして、釘打ちエアガンを胸の辺りの釘打ちエアガンホルダーに携帯し、一人で作業し、移動する。
【考案の効果】
【０００５】
作業効率を上げ、釘打ちエアガンを大切に使える。
【考案を実施するための最良の形態】
【０００６】
胸の辺りに釘打ちエアガンホルダーを携帯して、釘打ちエアガンを格納する。
【図面の簡単な説明】
【０００７】
【図１】釘打ちエアガンホルダー正面図
【図２】釘打ちエアガンホルダーを上から見た図
【図３】釘打ちエアガンホルダーの斜視図
【図４】釘打ちエアガンホルダーを正面の裏から見た図
【図５】鉄板の形状を示す拡大図
【符号の説明】
【０００８】
１鉄板
２プラスチック製の釘打ちエアガンホルダー本体
３ベルト
３Ａ ベルト
４釘打ちエアガンの持ち手部分のための開口部
５ボルト
【図１】
0003141320.tif 000003
【図２】
0003141320.tif 000004
【図３】
0003141320.tif 000005
【図４】
0003141320.tif 000006
【図５】
0003141320.tif 000007